(57)【要約】  本発明は、液状またはペースト状の材料、特に薬剤のための塗布チップ付きチューブに関する。チューブは、閉じることができるまたは既に閉じられた端部と出口端部とを備えたチューブ本体を有する。チューブの出口端部は、出口開口部を備えたチューブネックを有する。さらに、本発明によるチューブは、チューブの長手方向に細長く、チューブの出口端部に接続され、入口開口部と塗布開口部とを接続する内部チャネルを備えた塗布チップを有する。塗布開口部を閉じるクロージャは、塗布チップの塗布開口部上に成形される。塗布チップは把持手段を有する。
2017522163.tif 000002
【特許請求の範囲】
【請求項１】
液体またはペースト状の材料、特に活性剤配合物のための塗布チップ付きチューブであって、
a．閉じることができるまたは既に閉じられた端部と出口開口部を備えたチューブネックを有する出口端部とを備えたチューブ本体と、
b．前記チューブの長手方向に細長く、前記チューブの前記出口端部に接続され、入口開口部と塗布開口部とを接続する内部チャネルを備えた塗布チップと、
c．前記塗布チップの前記塗布開口部上に成形され、前記塗布開口部を閉じるクロージャと、
を有するチューブにおいて、
前記塗布チップが把持手段を有することを特徴とする、塗布チップ付きチューブ。
【請求項２】
前記塗布チップが前記チューブネック上に成形され、その結果、前記チューブの前記出口開口部と前記内部チャネルの前記入口開口部とが液密式に互いに接続されることを特徴とする、請求項1に記載の塗布チップ付きチューブ。
【請求項３】
前記塗布チップが、その全長にわたってまたはその長さの一部の領域にわたって前記把持手段を有することを特徴とする、請求項1または2に記載の塗布チップ付きチューブ。
【請求項４】
前記把持手段が、前記塗布チップの長さの一部の領域にわたって延在し、前記塗布チップの他の部分領域における外側の断面に対して、前記塗布チップの前記外側の断面の拡大された部分（1次元で）として構成されることを特徴とする、請求項1から3のいずれか一項に記載の塗布チップ付きチューブ。
【請求項５】
前記把持手段が、前記塗布チップの長さの一部の領域にわたって延在し、前記塗布チップの他の部分領域における外側および内側の断面に対して、前記塗布チップの前記外側および内側の断面の拡大された部分（1次元で）として構成されることを特徴とする、請求項1から3のいずれか一項に記載の塗布チップ付きチューブ。
【請求項６】
前記塗布チップが、前記入口開口部の領域に前記把持手段を有することを特徴とする、請求項1から5のいずれか一項または複数に記載の塗布チップ付きチューブ。
【請求項７】
前記把持手段が、好ましくは溝およびリブを有する凹状グリップとして構成されることを特徴とする、請求項1から6のいずれか一項または複数に記載の塗布チップ付きチューブ。
【請求項８】
前記塗布チップが、溶接によって確実に固定される方法で前記チューブネック上に成形されることを特徴とする、請求項1から7のいずれか一項または複数に記載の塗布チップ付きチューブ。
【請求項９】
前記チューブ本体および前記塗布チップが、それぞれ、ポリプロピレン（PP）から製造されることを特徴とする、請求項1から8のいずれか一項または複数に記載の塗布チップ付きチューブ。
【請求項１０】
前記チューブ本体および前記塗布チップが、それぞれ、ポリエチレン（PE）、ポリエチレンテレフタレート（PET）、ポリ塩化ビニル（PVC）、またはポリアミド（PA）から製造されることを特徴とする、請求項1から9のいずれか一項または複数に記載の塗布チップ付きチューブ。
【請求項１１】
前記塗布チップの壁厚が、前記チューブ本体の壁厚よりも大きいことを特徴とする、請求項1から10のいずれか一項または複数に記載の塗布チップ付きチューブ。
【請求項１２】
前記チューブ本体の壁厚が、0．2mmから0．6mmの範囲にあることを特徴とする、請求項1から11のいずれか一項または複数に記載の塗布チップ付きチューブ。
【請求項１３】
前記塗布チップの壁厚が、0．3mmから1．2mmの範囲にあることを特徴とする、請求項1から12のいずれか一項または複数に記載の塗布チップ付きチューブ。
【請求項１４】
凹状グリップの領域における前記塗布チップの壁厚が、前記塗布チップの残りの部分領域の壁厚よりも大きく、0．4mmから1．4mmの範囲にあることを特徴とする、請求項1から13のいずれか一項または複数に記載の塗布チップ付きチューブ。
【請求項１５】
クロージャなしでの前記塗布チップの長さが、前記チューブ本体の長さの少なくとも20％、好ましくは少なくとも50％、特に好ましくは前記チューブ本体の前記長さ以上であることを特徴とする、請求項1から14のいずれか一項または複数に記載の塗布チップ付きチューブ。
【請求項１６】
クロージャなしでの前記塗布チップの長さが、15mmから70mmの範囲にあることを特徴とする、請求項1から15のいずれか一項または複数に記載の塗布チップ付きチューブ。
【請求項１７】
前記チューブ本体の長さが、15mmから70mmの範囲にあることを特徴とする、請求項1から16のいずれか一項または複数に記載の塗布チップ付きチューブ。
【請求項１８】
前記塗布チップの材料が透明であることを特徴とする、請求項1から17のいずれか一項または複数に記載の塗布チップ付きチューブ。
【請求項１９】
前記チューブ本体の材料が透明ではないことを特徴とする、請求項1から18のいずれか一項または複数に記載の塗布チップ付きチューブ。
【請求項２０】
閉じることができるまたは既に閉じられた前記チューブ本体の端部が、横方向シーリングよって閉じられ得るまたは閉じられていることを特徴とする、請求項1から19のいずれか一項または複数に記載の塗布チップ付きチューブ。
【請求項２１】
前記クロージャが、1つまたは複数の所定の破断点を介して前記塗布チップに接続されることを特徴とする、請求項1から20のいずれか一項または複数に記載の塗布チップ付きチューブ。
【請求項２２】
前記クロージャが、捻ったり曲げたりすることによって破断され得ることを特徴とする、請求項1から21のいずれか一項または複数に記載の塗布チップ付きチューブ。
【請求項２３】
前記塗布チップ付きチューブが、単回用量の薬剤配合物を含むことを特徴とする、請求項1から22のいずれか一項または複数に記載の塗布チップ付きチューブ。
【請求項２４】
前記内部チャネルが、0．5mmから0．8mmの範囲の直径を有することを特徴とする、請求項1から23のいずれか一項または複数に記載の塗布チップ付きチューブ。
【請求項２５】
塗布チップ付き充填チューブを製造するための方法であって、
a．開口端部を備えたチューブ本体と、出口開口部を備えたチューブネックを有する出口端部とを形成するステップと、
b．入口開口部と塗布開口部とを接続する内部チャネルと、前記塗布チップを閉じるクロージャとを備えた塗布チップを形成するステップと、
c．前記塗布チップをその入口開口部の周りの領域で前記チューブネック上に成形するステップと、
d．前記開口端部を介して液体またはペースト状の材料で前記チューブ本体を充填するステップと、
e．前記開口端部を横方向にシーリングするステップと、
を含む方法。
【発明の詳細な説明】
【技術分野】
【０００１】
本発明は、液体またはペースト状の材料、特に活性剤配合物のための塗布チップ付きチューブ、および塗布チップ付きチューブを製造および充填する方法に関する。このタイプのチューブは、好ましくは、例えば薬剤である活性剤配合物の単回用量を含有する。塗布チップは、身体の開口部または著しく多毛な領域の皮膚のような、アクセスすることが困難な人間および動物の身体領域に活性剤を導入する働きをする。
【背景技術】
【０００２】
特許文献１は、患者の口腔内への単回用量の薬液の塗布のための容器を開示している。容器は、薬液を収容するチャンバと、薬を排出するために利用される絞ることのできる領域とを有する。容器は、薬の早すぎる排出を防ぐために、捻ることができるクロージャによって密封されている。さらに、容器は、1から12cmの長さを有し、チャンバと流体接続している細長く小さい吐出チューブを有する。容器を開くために、ユーザは一方の手で容器を把持する。他方の手の親指と人差し指を使って、ユーザはクロージャを把持し、クロージャに回転力を加え、その結果、所定の破断点でシールが破断し、クロージャを容器から切断することができる。単回用量の薬液とは別に、不活性ガスは、ユーザが容器に加える圧力の結果として薬液が容器から出ないように、容器の内部にある。
【０００３】
同様の設計および取り扱いの容器が、特許文献２に開示されている。ここでも、ユーザは片手で容器を把持する。チャンバの外側には、溝およびチャネルの形態で液体を有するチャンバの非ポジティブで確実な保持およびプレスのための特別な手段が設けられている。ユーザが、捻ることができるクロージャを開けて捻りたいときに、チャンバは、溝およびチャネルの領域において、ユーザによって自動的に把持される。特許文献１の容器とは対照的に、この特許出願は、クロージャの開放中に液体で満たされたチャンバへの圧力の結果としての液体が逃げることを防ぐことができる方法については何ら開示していない。
【０００４】
流動性材料のための別の容器が、特許文献３から知られている。特許文献３による容器は、プラスチックで作られた筐体から成り、その頭部は排出開口部、および開口端部に隣接している開放チャンバを有する。このタイプの容器は、充填する製品を収容する役割を果たす。内容物を、手でプレスすることによって容器から取り出すことができる。容器はクロージャによって閉じられ、このクロージャは、容器本体に対して前記クロージャを傾斜させるかまたは捻ることによって所定の破断点に沿って切断され得る。特許文献３による記載された容器の開放中、容器本体は対応する圧力でしっかりと保持されなければならない。ここでは、クロージャの開放中の圧力の結果として液体が逃げることができるのは好適である。
【先行技術文献】
【特許文献】
【０００５】
【特許文献１】米国特許出願公開第2011／0160677号明細書
【特許文献２】米国特許出願公開第2007／0138215号明細書
【特許文献３】ドイツ特許出願公開第4420594号明細書
【発明の概要】
【発明が解決しようとする課題】
【０００６】
本発明は、塗布チップ付きチューブを提供することを目的とし、チューブ本体がしっかりと保持され、したがってチューブ本体に圧力が加えられるプロセスを必要とせずに、チューブのクロージャを開くことができる。
【課題を解決するための手段】
【０００７】
以下の文章では、チューブとはすべてのタイプの絞ることのできる容器を意味している。本発明によれば、本目的は、請求項1に記載の塗布チップ付きチューブおよび請求項22に記載の製造方法によって実現される。
【０００８】
液体またはペースト状の材料、特に薬剤のための塗布チップを備えた本発明によるチューブは、閉じることができるまたは既に閉じられた端部と出口端部とを備えたチューブ本体を有する。チューブの出口端部は、出口開口部を備えたチューブネックを有する。さらに、本発明によるチューブは、チューブの長手方向に細長く、チューブの出口端部に接続され、入口開口部と塗布開口部とを接続する内部チャネルを備えた塗布チップを有する。塗布開口部を閉じるクロージャは、塗布チップの塗布開口部上に成形される。塗布チップは把持手段を有する。
【０００９】
本発明の一実施形態では、塗布チップがチューブネック上に成形され、その結果、チューブの出口開口部とチャネルの入口開口部とが液密式に互いに接続される。
【００１０】
把持手段は、チューブの開口中に保持点を提供する働きをする。把持手段の領域は、好ましくは、材料に関して幾分厚い形状であり、例えば、圧力に負けない対応する補強材によって存在する。
【００１１】
塗布チップは、その全長にわたってまたはその長さの一部の領域にわたって把持手段を有する。把持手段は、塗布チップの他の部分領域における外側または内側の断面に対して、塗布チップの外側および場合によっては内側の断面の拡大された部分（1次元で）として構成され得る。塗布チップは、好ましくは、入口開口部の領域に把持手段を有する。把持手段は、好ましくは溝およびリブを有する凹状グリップとして構成され得る。
【００１２】
塗布チップを、溶接によって確実に固定される方法でチューブネック上に成形することができる。
【００１３】
チューブ本体および塗布チップは、プラスチック、好ましくはポリプロピレン（PP）から製造される。ただし、他の実施形態では、それらを、ポリエチレン（PE）、ポリエチレンテレフタレート（PET）、ポリ塩化ビニル（PVC）、またはポリアミド（PA）から製造することもできる。本発明の一実施形態では、塗布チップの壁厚は、チューブ本体の壁厚よりも大きい。チューブ本体の壁厚を、0．2mmから0．6mmの範囲とすることができ、塗布チップの壁厚を、0．3から1．2mmの範囲とすることができる。塗布チップの壁厚を、把持手段の領域において、塗布チップの残りの部分領域においてよりも大きくすることができる。把持手段の領域における壁厚を、塗布チップの残りの部分領域の壁厚よりも大きくすることができる。この壁厚を、0．4から1．4mmの範囲とすることができる。
【００１４】
クロージャなしでの塗布チップの長さは、チューブ本体の長さの少なくとも20％、好ましくは少なくとも50％、特に好ましくはチューブ本体の長さ以上でなければならない。クロージャなしでの塗布チップの長さは、好ましくは15mmから70mmの範囲にあり、チューブ本体の長さは15mmから70mmの範囲にある。
【００１５】
本発明のさらなる実施形態では、塗布チップの材料は透明である。チューブ本体の材料は、好ましくは透明ではない。
【００１６】
閉じることができるまたは既に閉じられたチューブ本体の端部を、横方向シーリングよって閉じることができる。
【００１７】
クロージャを、1つまたは複数の所定の破断点を介して塗布チップに接続することができる。クロージャを、捻ったり曲げたりすることによって、塗布チップから破断することができるのが好ましい。
【００１８】
一実施形態では、塗布チップ付きチューブは、単回用量の薬剤配合物を含む。
【００１９】
塗布チップのチャネルは、好ましくは、0．5から0．8mmの範囲の直径を有する。
【００２０】
本発明のさらなる主題は、塗布チップ付き充填チューブを製造するための方法であって、この方法は、
a．開口端部を備えたチューブ本体と、出口開口部を備えたチューブネックを有する出口端部とを形成するステップと、
b．入口開口部と塗布開口部とを接続する内部チャネルと、塗布チップを閉じるクロージャとを備えた塗布チップを形成するステップと、
c．塗布チップをその入口開口部の周りの領域でチューブネック上に成形するステップと、
d．開口端部を介して液体またはペースト状の材料でチューブ本体を充填するステップと、
e．開口端部を横方向にシーリングするステップと、
を含む。
【００２１】
本発明の1つの例示的な実施形態が図面の図を参照して説明される。
【図面の簡単な説明】
【００２２】
【図１】塗布チップ付きチューブの斜視図である。
【図２】塗布チップ付きチューブの側面図である。
【図３】塗布チップ付きチューブの正面図である。
【図４】塗布チップ付きチューブを下から見た図である。
【図５】塗布チップ付きチューブを上から見た図である。
【発明を実施するための形態】
【００２３】
図1から図5に示される塗布チップ付きチューブ10は、塗布チップ20内のチューブ本体2からなる。
【００２４】
示されている例示的な実施形態では、チューブ本体2は、その端部3において、横方向シーリングシーム6によって閉じられている。簡単な開口および塗布を可能にするために、チューブ本体2には、塗布開口部30を開閉し易いクロージャ24を備えた長い塗布チップ20が設けられている。クロージャ24を、捻ったり曲げたりすることによって破断することができる。クロージャは、塗布開口部30を越えてチューブ本体の方向に突出する2つの延長片32により、両側の延長片の端部の2つの所定の破断点26を介して、塗布チップ20の壁に接続されている。長い塗布チップ20は、例えば動物の毛皮または身体の開口部にアクセスすることが困難な領域であっても、チューブの内容物の塗布を問題なく可能にする働きをする。塗布チップ20を透明な設計とすることができ、その結果、充填材料の排出が見える。塗布チップ付きチューブ10の出口端部4は、出口開口部（ここでは見えない）を備えたチューブネック5を有する。透明な塗布チップ20を通してわずかに見えるチューブネック5は、線で示されている。塗布チップ20は、チューブネック5上に確実に固定される方法で成形されている。チューブネック5上にも成形される入口開口部の領域において、塗布チップ20は、横リブ28を備えた凹状グリップ22を有し、この凹状グリップ22はチューブネック5を越えている。
【符号の説明】
【００２５】
2  チューブ本体
3  端部
4  出口端部
5  チューブネック
10  塗布チップ付きチューブ
20  塗布チップ
22  凹状グリップ
24  クロージャ
26  破断点
28  横リブ
30  塗布開口部
32  延長片
【図１】
2017522163.tif 000003
【図２】
2017522163.tif 000004
【図３】
2017522163.tif 000005
【図４】
2017522163.tif 000006
【図５】
2017522163.tif 000007
【国際調査報告】
2017522163.tif 000008
2017522163.tif 000009
2017522163.tif 000010
2017522163.tif 000011
2017522163.tif 000012
2017522163.tif 000013